(57)【要約】  ドリルガイドが、シャフトと、そのシャフトに固定可能なドリルガイド組立体と、第１のドリルガイドインサートと、を含む。ドリルガイド組立体は、受容通路を画定する第１のドリルガイド本体と、ロッキング部材と、を含み、開放位置と閉鎖位置との間で屈曲する第１の把持突出部において終端する。第１のドリルガイドインサートは、受容通路内に導入されるものであり、ボアと、把持突出部変位表面と、ロッキング溝と、キー部材と、を含む。把持突出部変位表面は、第１のドリルガイドインサートの導入の間に、第１の把持突出部をその閉鎖位置からその開放位置へと移動させる。導入されると、ロッキング溝は、第１の把持突出部を受容して第１のドリルガイドインサートを第１のドリルガイド本体内にロックし、キー部材はロッキング部材と係合して、第１のドリルガイド本体内における第１のドリルガイドインサートの回転を防止する。
2018522685.tif 000002
【特許請求の範囲】
【請求項１】
ドリルガイドであって、
受容通路を画定する第１のドリルガイド本体を含むドリルガイド組立体であって、前記第１のドリルガイド本体は、ロッキング部材を含み、開放位置と閉鎖位置との間で屈曲するように適合された第１の把持突出部において終端する、ドリルガイド組立体と、
前記ドリルガイド組立体に固定可能なシャフトと、
ボアを画定し、前記第１のドリルガイド本体の前記受容通路への挿入に対して適合された第１のドリルガイドインサートであって、
前記第１のドリルガイド本体の前記受容通路に前記第１のドリルガイドインサートが最初に挿入される間に、前記第１の把持突出部と係合し、前記第１の把持突出部をその閉鎖位置からその開放位置へと移動させるように適合された把持突出部変位表面と、
前記第１のドリルガイド本体の前記第１の把持突出部を中に受容するように適合されたロッキング溝であって、前記第１のドリルガイド本体の前記受容通路に前記第１のドリルガイドインサートが引き続き挿入されると、前記第１の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第１のドリルガイドインサートが前記第１のドリルガイド本体の前記受容通路に押し通されること又は前記受容通路から引き抜かれることを防止する、ロッキング溝と、
前記第１のドリルガイド本体の前記受容通路に前記第１のドリルガイドインサートが挿入されると、前記第１のドリルガイド本体の前記ロッキング部材と係合するように適合されたキー部材であって、前記キー部材と前記ロッキング部材とが係合して、前記第１のドリルガイド本体の前記受容通路内における前記第１のドリルガイドインサートの回転を防止する、キー部材と、を含む第１のドリルガイドインサートと、を含む、ドリルガイド。
【請求項２】
前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位するインプラントの第１の脚部と第２の脚部との間の距離に実質的に等しい距離だけ間隔をあけて、前記第１のドリルガイド本体を前記第２のドリルガイド本体から離間配置するプラットフォームと、を更に含む、請求項１に記載のドリルガイド。
【請求項３】
前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートを更に含む、請求項２に記載のドリルガイド。
【請求項４】
前記ドリルガイド組立体は、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結する前記プラットフォームであって、開放挿入位置に位するインプラントの第１、第２、及び第３の脚部の間の距離に実質的に等しい距離だけ間隔をあけて、前記第１、第２、及び第３のドリルガイド本体を互いから離間配置する前記プラットフォームと、を更に含む、請求項３に記載のドリルガイド。
【請求項５】
前記ドリルガイドは、
ボアを画定し、前記第３のドリルガイド本体の前記受容通路への挿入に対して適合された第３のドリルガイドインサートであって、
前記第３のドリルガイド本体の前記受容通路に前記第３のドリルガイドインサートが最初に挿入される間に、前記第１の把持突出部と係合し、前記第１の把持突出部をその閉鎖位置からその開放位置へと移動させるように適合された把持突出部変位表面と、
前記第３のドリルガイド本体の前記第１の把持突出部を中に受容するように適合されたロッキング溝であって、前記第３のドリルガイド本体の前記受容通路に前記第３のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ロッキング溝と、
前記第３のドリルガイド本体の前記受容通路に前記第３のドリルガイドインサートが挿入されると、前記第３のドリルガイド本体の前記ロッキング部材と係合するように適合されたキー部材であって、前記キー部材と前記ロッキング部材とが係合して、前記第３のドリルガイド本体の前記受容通路内における前記第３のドリルガイドインサートの回転を防止する、キー部材と、を含む第３のドリルガイドインサートを更に含む、請求項４に記載のドリルガイド。
【請求項６】
前記第１のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、請求項１に記載のドリルガイド。
【請求項７】
前記第２のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、請求項２に記載のドリルガイド。
【請求項８】
前記第３のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、請求項４に記載のドリルガイド。
【請求項９】
前記ドリルガイドは、本体を間に有する第１の脚部と第２の脚部とを含むインプラントと共に使用され、前記第１の脚部及び前記第２の脚部は、閉鎖植込位置と開放挿入位置との間で移動可能である、請求項１に記載のドリルガイド。
【請求項１０】
前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位する前記インプラントの前記第１の脚部と第２の脚部との間の距離に実質的に等しい距離だけ間隔をあけて、前記第１のドリルガイド本体を前記第２のドリルガイド本体から離間配置するプラットフォームと、を更に含む、請求項９に記載のドリルガイド。
【請求項１１】
前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートを更に含む、請求項１０に記載のドリルガイド。
【請求項１２】
前記ドリルガイドは、本体を間に有する第１の脚部と第２の脚部と第３の脚部とを含むインプラントと共に使用され、前記第１の脚部、前記第２の脚部、及び前記第３の脚部は、閉鎖植込位置と開放挿入位置との間で移動可能である、請求項１に記載のドリルガイド。
【請求項１３】
前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結するプラットフォームであって、開放挿入位置に位する前記インプラントの前記第１、第２、及び第３の脚部の間の距離に実質的に等しい距離だけ間隔をあけて、前記第１、第２、及び第３のドリルガイド本体を互いから離間配置するプラットフォームと、を更に含む、請求項１２に記載のドリルガイド。
【請求項１４】
前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートと、
ボアを画定し、前記第３のドリルガイド本体の前記受容通路への挿入に対して適合された第３のドリルガイドインサートであって、
前記第３のドリルガイド本体の前記受容通路に前記第３のドリルガイドインサートが最初に挿入される間に、前記第１の把持突出部と係合し、前記第１の把持突出部をその閉鎖位置からその開放位置へと移動させるように適合された把持突出部変位表面と、
前記第３のドリルガイド本体の前記第１の把持突出部を中に受容するように適合されたロッキング溝であって、前記第３のドリルガイド本体の前記受容通路に前記第３のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ロッキング溝と、
前記第３のドリルガイド本体の前記受容通路に前記第３のドリルガイドインサートが挿入されると、前記第３のドリルガイド本体の前記ロッキング部材と係合するように適合されたキー部材であって、前記キー部材と前記ロッキング部材とが係合して、前記第３のドリルガイド本体の前記受容通路内における前記第３のドリルガイドインサートの回転を防止する、キー部材と、を含む第３のドリルガイドインサートと、を更に含む、請求項１３に記載のドリルガイド。
【請求項１５】
ドリルガイドを製造する方法であって、
プラスチック材料からドリルガイド本体組立体とシャフトとを一体的に形成することであって、前記ドリルガイド本体組立体は、
受容通路を含む第１のドリルガイド本体であって、前記受容通路はロッキング部材を含み、開放位置と閉鎖位置との間で屈曲するように適合された第１の把持突出部において終端する、第１のドリルガイド本体を含む、ことと、
金属材料から第１のドリルガイドインサートを形成することであって、前記第１のドリルガイドインサートはボアを画定し、前記第１のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第１のドリルガイド本体の前記受容通路内に前記第１のドリルガイドインサートを挿入することと、
前記キー部材が前記ロッキング部材と係合し、それによって前記受容通路内における前記第１のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第１のドリルガイドインサートの挿入を継続することであって、更に、前記第１の把持突出部は前記ロッキング溝と係合し、それによって、前記第１のドリルガイドインサートが前記第１のドリルガイド本体の前記受容通路に押し通されること又は前記受容通路から引き抜かれることを防止する、ことと、を含むドリルガイドを製造する方法。
【請求項１６】
プラスチック材料から前記ドリルガイド本体組立体と前記シャフトとを一体的に形成することであって、前記ドリルガイド本体組立体は、
受容通路を画定する第２のドリルガイド本体であって、前記第２のドリルガイド本体は、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位するインプラントの第１の脚部と第２の脚部との間の距離に実質的に等しい距離だけ間隔をあけて、前記第１のドリルガイド本体を前記第２のドリルガイド本体から離間配置するプラットフォームと、を更に含む、ことを更に含む、請求項１５に記載のドリルガイドを製造する方法。
【請求項１７】
金属材料から第２のドリルガイドインサートを形成することであって、前記第２のドリルガイドインサートはボアを画定し、前記第２のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第２のドリルガイド本体の前記受容通路内に前記第２のドリルガイドインサートを挿入することと、
前記キー部材が前記ロッキング部材と係合し、それによって前記受容通路内における前記第２のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第２のドリルガイドインサートの挿入を継続することであって、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ことと、を更に含む、請求項１６に記載のドリルガイドを製造する方法。
【請求項１８】
プラスチック材料から前記ドリルガイド本体組立体と前記シャフトとを一体的に形成することであって、前記ドリルガイド本体組立体は、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結する前記プラットフォームであって、開放挿入位置に位するインプラントの第１、第２、及び第３の脚部の間の距離に実質的に等しい距離だけ間隔をあけて、前記第１、第２、及び第３のドリルガイド本体を互いから離間配置する前記プラットフォームと、を更に含む、ことを更に含む、請求項１７に記載のドリルガイドを製造する方法。
【請求項１９】
金属材料から第３のドリルガイドインサートを形成することであって、前記第３のドリルガイドインサートはボアを画定し、前記第３のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第３のドリルガイド本体の前記受容通路内に前記第３のドリルガイドインサートを挿入することと、
前記キー部材が前記ロッキング部材と係合し、それによって前記受容通路内における前記第３のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第３のドリルガイドインサートの挿入を継続することであって、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ことと、を更に含む、請求項１８に記載のドリルガイドを製造する方法。
【請求項２０】
前記ドリルガイドは、本体を間に有する第１の脚部と第２の脚部とを含むインプラントと共に使用され、前記第１の脚部及び前記第２の脚部は、閉鎖植込位置と開放挿入位置との間で移動可能である、請求項１７に記載のドリルガイドを製造する方法。
【発明の詳細な説明】
【技術分野】
【０００１】
本発明は、広義にはドリルガイド組立体に関し、より具体的には、限定するものではないが、医療デバイスと共に使用するためのドリルガイド組立体及びその製造方法に関する。
【背景技術】
【０００２】
整形外科における使用のために設計された医用インプラントは、典型的には、インプラントを導入するために外科医が骨の中に穴を穿孔することが要求される。骨の中にフリーハンドで穿孔された穴は、骨の中に導入されたインプラントの誤整列を生じる可能性を残している。インプラントの誤整列を防止するため、ドリルビットを案内するのを助け、各ドリルホールの適切な角形成及び分離距離を確実にすべく、ドリルガイドがしばしば使用されている。
【０００３】
コストを低減し、手術室におけるロジスティクスを簡潔にするために、医療用デバイスの製造業者は、事前に滅菌された使い捨てのドリルガイドを使用することを好む。ドリルガイドの作製においては、プラスチックなどの材料が好まれる。プラスチックのドリルガイドは大量に射出成型され、それによってコストを低減し得る。しかしながら、プラスチックのみで作製されたドリルガイドは、典型的には、整形外科手術には適さず、それがゆえに、整形外科手術において使用されるドリルビットは一般に、金属で作製されている。ドリルガイド内で高速で回転する金属のドリルビットは、プラスチックの削り屑を発生させることがあり、この削り屑は手術中に患者の体内に落下することになる。プラスチックの削り屑の発生を防止するために、金属などの材料のみからドリルガイドを作製することは、コスト高となる。したがって、医療用デバイスの製造業者は多くの場合、プラスチックの本体に挿入される金属のガイドを使用している。
【０００４】
プラスチックの本体内に挿入される金属のガイドは、いくつかの利点を有する。金属のガイドは、手術中に患者の体内へと落下するプラスチックの削り屑をドリルビットが発生させることを防止する一方で、プラスチックの本体は廉価な大量生産を可能にする。プラスチックの本体は、典型的には、射出成型を用いて製造され、金属のガイドは次いで機械加工され、オーバーモールド又はプレス嵌めによってプラスチックの本体に固着される。オーバーモールドでは、溶融プラスチックが射出成型プロセスの間に金属のガイドの周りに注入される。金属の管でオーバーモールドされたプラスチックのドリルガイドの一例が、ＢＭＥ  Ｓｐｅｅｄ（商標）固定システム（BioMedical Enterprises, Inc, San Antonio, Texas）である。ＢＭＥ  Ｓｐｅｅｄ（商標）固定システムは、２０１１年より米国内で販売されている。プレス嵌めでは、金属のガイドは、射出成型プロセスの後にプラスチックの本体に挿入される。オーバーモールドとプレス嵌めはどちらも欠点を有している。オーバーモールドプロセスでは、金属のガイドが各部品用のモールド内に配置されなければならないとき、射出成型プロセスを自動化することがより困難となる。プレス嵌めでは、金属のガイドを受容する管は精密な直径でなければならない。精密な直径の管を製作することにより、金属のガイドがプラスチックの本体に依然として堅固に固着される一方で、それと同時にプラスチックの本体の亀裂が防止されるようになる。しかしながら、これにより、ドリルガイドの製造コストが増大する。更に、プレス嵌めを用いるドリルガイドはまた、ドリルビットが高速で回転している間に金属のガイドを把持する場合に、回転しやすくなる。
【発明の概要】
【発明が解決しようとする課題】
【０００５】
したがって、プレス嵌め及びオーバーモールドの欠点を克服するような方式で製造されるプラスチックの本体と嵌合される金属のガイド（単数又は複数）を組み込んだドリルガイドが有益となろう。
【課題を解決するための手段】
【０００６】
本発明によれば、ドリルガイドが、シャフトと、そのシャフトに固定可能なドリルガイド組立体と、第１のドリルガイドインサートと、を含む。ドリルガイド組立体は、受容通路を画定する第１のドリルガイド本体を含む。第１のドリルガイド本体は、ロッキング部材を含み、開放位置と閉鎖位置との間で屈曲するように適合された第１の把持突出部において終端する。第１のドリルガイド本体の第１の把持突出部を開放位置と閉鎖位置との間で屈曲させるために、第１のドリルガイド本体は、第１の把持突出部を間に備えた第１のスロットと第２のスロットとを含む。
【０００７】
第１のドリルガイドインサートはボアを画定し、第１のドリルガイド本体の受容通路に挿入される。第１のドリルガイドインサートは、把持突出部変位表面と、ロッキング溝と、キー部材と、を含む。把持突出部変位表面は、第１のドリルガイド本体の受容通路に第１のドリルガイドインサートが最初に挿入される間に、第１の把持突出部と係合し、第１の把持突出部をその閉鎖位置からその開放位置へと移動させる。
【０００８】
受容通路に第１のドリルガイドインサートが引き続き挿入される間、把持突出部変位表面は、第１の把持突出部から係合解除され、そのため、第１の把持突出部はその開放位置からその閉鎖位置へと移動し、第１のドリルガイドインサートのロッキング溝と係合する。第１の把持突出部がロッキング溝と係合すると、第１のドリルガイドインサートは、第１のドリルガイド本体の受容通路に押し通されること又は受容通路から引き抜かれることを防止される。更に、第１のドリルガイド本体の受容通路に第１のドリルガイドインサートが引き続き挿入される間、キー部材は第１のドリルガイド本体のロッキング部材と係合し、それによって、第１のドリルガイド本体の受容通路内における第１のドリルガイドインサートの回転を防止する。
【０００９】
ドリルガイドのドリルガイド組立体は、第２のドリルガイド本体と、第１のドリルガイド本体と第２のドリルガイド本体とを連結するプラットフォームと、を含み得る。プラットフォームは、開放挿入位置に位するインプラントの第１の脚部と第２の脚部との間の距離に実質的に等しい距離だけ間隔をあけて、第１のドリルガイド本体と第２のドリルガイド本体とを互いから離間配置する。好ましい実施形態では、第２のドリルガイド本体は第１のドリルガイド本体と実質的に同等である。同様に、第１のドリルガイドインサートと実質的に同等である第２のドリルガイドインサートが、第２のドリルガイド本体内に導入される。
【００１０】
ドリルガイドのドリルガイド組立体は、第３のドリルガイド本体を更に含み得る。プラットフォームは、第１、第２、及び第３のドリルガイド本体を連結し、更に、開放挿入位置に位するインプラントの第１、第２、及び第３の脚部の間の距離に実質的に等しい距離だけ間隔をあけて、第１、第２、及び第３のドリルガイド本体を互いから離間配置する。好ましい実施形態では、第３のドリルガイド本体は第１及び第２のドリルガイド本体と実質的に同等である。同様に、第１及び第２のドリルガイドインサートと実質的に同等である第３のドリルガイドインサートが、第３のドリルガイド本体内に導入される。
【００１１】
ドリルガイドは、次の方法を用いて製造され得る。ドリルガイド本体組立体及びシャフトは、射出成型技法を用いてプラスチック材料から一体的に形成される。ドリルガイド本体組立体は第１のドリルガイド本体を含む。第１のドリルガイド本体は、ロッキング部材を含む受容通路を画定する。第１のドリルガイド本体は、開放位置と閉鎖位置との間で屈曲するように適合された第１の把持突出部において終端する。
【００１２】
第１のドリルガイドインサートは金属材料から形成される。第１のドリルガイドインサートはボアを画定し、第１のドリルガイド本体の受容通路に挿入されるように適合される。第１のドリルガイドインサートは、把持突出部変位表面と、ロッキング溝と、キー部材と、を含む。
【００１３】
第１のドリルガイドインサートは、把持突出部変位表面が第１の把持突出部と係合し、第１の把持突出部をその閉鎖位置からその開放位置へと移動させるまで、第１のドリルガイド本体の受容通路内に挿入される。受容通路内への第１のドリルガイドインサートの挿入は、キー部材がロッキング部材と係合し、それによって受容通路内における第１のドリルガイドインサートの回転が防止されるまで継続する。更に、受容通路内への第１のドリルガイドインサートの挿入は、把持突出部変位表面が第１の把持突出部から係合解除されるまで継続し、そのため、第１の把持突出部はその開放位置からその閉鎖位置へと移動し、結果として第１の把持突出部がロッキング溝と係合し、それによって、第１のドリルガイドインサートが第１のドリルガイド本体の受容通路に押し通されること又は受容通路から引き抜かれることが防止される。
【００１４】
ドリルガイドの製造は、ドリルガイド本体組立体が第１のドリルガイド本体と実質的に同等の第２のドリルガイド本体と、第１のドリルガイド本体を第２のドリルガイド本体に連結するプラットフォームと、を含むように、プラスチック材料からドリルガイド本体組立体とシャフトとを一体的に形成することを含み得る。プラットフォームは、開放挿入位置に位するインプラントの第１の脚部と第２の脚部との間の距離に実質的に等しい距離だけ間隔をあけて、第１のドリルガイド本体を第２のドリルガイド本体から離間配置する。同様に、第１のドリルガイドインサートと実質的に同等である第２のドリルガイドインサートが、金属材料から形成される。第２のドリルガイドインサートは、第１のドリルガイド本体内への第１のドリルガイドインサートの導入と実質的に同様に、第２のドリルガイド本体内に導入される。
【００１５】
ドリルガイドの製造は、ドリルガイド本体組立体が第１及び第２のドリルガイド本体と実質的に同等の第３のドリルガイド本体と、第１、第２、及び第３のドリルガイド本体を連結するプラットフォーム、とを含むように、プラスチック材料からドリルガイド本体組立体とシャフトとを一体的に形成することを更に含み得る。プラットフォームは、開放挿入位置に位するインプラントの第１、第２、及び第３の脚部の間の距離に実質的に等しい距離だけ間隔をあけて、第１、第２、及び第３のドリルガイド本体を離間配置する。同様に、第１及び第２のドリルガイドインサートと実質的に同等である第３のドリルガイドインサートが、金属材料から形成される。第３のドリルガイドインサートは、第１及び第２のドリルガイド本体内への第１及び第２のドリルガイドインサートの導入と実質的に同様に、第３のドリルガイド本体内に導入される。
【図面の簡単な説明】
【００１６】
【図１】ドリルガイドインサートを示す等角図である。
【図２】ドリルガイド組立体及びドリルガイド組立体に固定されたハンドルを示す等角図である。
【図３】ドリルガイドインサートがドリルガイド組立体の上方に懸架されたドリルガイド組立体を示す側面図である。
【図４】ドリルガイド組立体のドリルガイド本体へのドリルガイドインサートの導入を示す横断面図である。
【図５】ドリルガイド組立体のドリルガイド本体へのドリルガイドインサートの導入を示す横断面図である。
【図６】ドリルガイド組立体のドリルガイド本体へのドリルガイドインサートの導入を示す横断面図である。
【図７】ドリルガイドを示す等角図である。
【図８】ドリルガイドを示す側面図である。
【図９】開放挿入位置にあるインプラントを示す等角図である。
【図１０】閉鎖植込位置にあるインプラントを示す等角図である。
【発明を実施するための形態】
【００１７】
必要に応じて、本発明の詳細な実施形態が本明細書において開示される。しかしながら、開示する実施形態は単に本発明を例示するものであり、本発明は多様な形態で実施され得ることを理解されたい。更に理解されたいこととして、図は必ずしも縮尺通りではなく、いくつかの機構は、特定の構成要素又は工程の詳細を示すために誇張されていることがある。
【００１８】
図１〜２及び図７〜８はドリルガイド３００を示している。ドリルガイド３００は、ドリルガイド本体２１０〜２１２からなるドリルガイド本体組立体２００と、ドリルガイド本体組立体２００に固定可能なシャフト２５０と、を含む。シャフト２５０はハンドルとして機能してもよく、あるいは、外科医がドリルガイド３００を把持及び操作することが可能となるように、プレス嵌めなどの任意の好適な手段を用いてハンドルに固定されてもよい。ドリルガイド３００は、ドリルガイド本体組立体２００のドリルガイド本体２１０〜２１２の各々内に導入されるドリルガイドインサート１００を更に含む。
【００１９】
図９及び１０は、ドリルガイド３００と共に使用される例示的なインプラント５０を示している。インプラント５０は本体５１を含み、本体５１はそれから延びる脚部５２〜５４を有している。本発明では、インプラント５０は、図１０に示す閉鎖植込位置と図９に示す開放挿入位置との間における脚部５０の移動を可能にするように、ニチノールなどの形状記憶材料から製造される。
【００２０】
ドリルガイドインサート１００は、ボア１０２と、骨係合表面１０３と、キー部材１２０と、受容空洞係合表面１０１と、を含む。ボア１０２はドリルビットを受容するように設計されており、そのため、ドリルビットは、ドリルガイドインサート１００内で束縛されることなくボア１０２内で回転するようになっている。骨係合表面１０３は、骨又は組織を把持して患者の組織又は骨上の定位置にドリルガイド３００を維持する。キー部材１２０及び受容空洞係合表面１０１は、ドリルガイドインサート１００をドリルガイド本体２１０〜２１２のうちの１つの嵌合させるように設計されている。
【００２１】
キー部材１２０は、ドリルガイドインサート１００の上方部分に配置されており、ドリルガイドインサート１００がドリルガイド本体２１０〜２１２のうちの１つの中に導入されるとドリルガイドインサート１００の回転を防止するように設計されている。好ましい実施形態では、キー部材１２０は、六角形の形状をなす個々の平坦な表面を含む。キー部材１２０は個々の平坦な表面を含むが、ドリルガイド１００の回転を防止するのに適した任意の表面又は形状が用いられてよいことに留意されたい。
【００２２】
受容空洞係合表面１０１は、環状であるロッキング溝１５０と、把持突出部変位表面１５１と、を含む。把持突出部変位表面１５１は斜角をなし、ドリルガイド本体２１０〜２１２の一部分と接触し、そのため、ドリルガイド本体２１０〜２１２の一部分が移動してロッキング溝１５０と係合する。具体的に言えば、ドリルガイド本体２１０〜２１２が移動してロッキング溝１５０と係合した後、ドリルガイド本体２１０〜２１２は、ドリルガイド本体２１０〜２１２内でドリルガイド１００を把持及びロックする。ドリルガイドインサート１００がドリルガイド本体２１０〜２１２のうちの１つの中でロックすると、ドリルガイド１００のインサートは、ドリルガイド本体２１０〜２１２に押し通されること又はドリルガイド本体２１０〜２１２から引き抜かれることを防止される。更に、ロッキング溝１５０は環状であるものとして記述されているが、ロッキング溝１５０は、環状でない溝の一部、又はノッチ、バンプ、隆起などの他の係合機構であってもよい。
【００２３】
好ましい実施形態におけるドリルガイド本体組立体２００は、ドリルガイド本体２１０〜２１２を連結するプラットフォーム２０１を含む。ドリルガイド本体組立体２００のプラットフォーム２０１は、ドリルガイド本体２１０と２１２との間の距離が図９に示す開放挿入位置におけるインプラント５０の脚部５２と５４との間の距離に対応し、ドリルガイド本体２１１と２１２とが図９に示す開放挿入位置におけるインプラント５０の脚部５３と５４との間の距離に対応し、ドリルガイド本体２１０と２１１とが図９に示す開放挿入位置におけるインプラント５０の脚部５２と５３との間の距離に対応するように、ドリルガイド本体２１０〜２１２を連結しそれらの位置を維持する。好ましい実施形態は、ドリルガイド本体組立体２００のドリルガイド本体２１２に固定されたシャフト２５０を開示しているが、シャフト２５０はプラットフォーム２０１、又はドリルガイド本体２１０及び２１１のいずれかに固定されてもよいことが当業者には明らかとなろう。ドリルガイド本体組立体２００は任意の材料から作製され得るが、好ましい実施形態では、ドリルガイド本体組立体２００は、通常の技法を用いて射出成型又は機械加工されるプラスチックから作製される。
【００２４】
ドリルガイド本体２１０〜２１２の各々は、ドリルガイドインサート１００を受容するように適合された受容通路２５５を画定している。受容通路２５５は、ロッキング部材２２０と把持突出部２２５とを含む。ロッキング部材２２０はドリルガイドインサート１００のキー部材１２０と係合し、把持突出部２２５はドリルガイドインサート１００の受容空洞係合表面１０１と係合する。
【００２５】
ロッキング部材２２０はいくつかの平坦な表面を含み、それらの平坦な表面は、キー部材１２０の同数の平坦な表面に対応している。受容通路２５５内にドリルガイドインサート１００を挿入すると、キー部材１２０の平坦な表面はロッキング部材２２０の平坦な表面と嵌合し、それによってキー部材１２０をロッキング部材２２０にロックする。
【００２６】
把持突出部２２５は開放位置と閉鎖位置との間で移動するものであり、係合隆起部２３０をそれぞれが含み、係合隆起部２３０は、ドリルガイドインサート１００のロッキング溝１５０を把持し、それによってドリルガイド本体２１０〜２１２のうちの１つの中にドリルガイドインサート１００をロックする。具体的に言えば、ドリルガイドインサート１００の把持突出部変位表面１５１は把持突出部２２５の係合隆起部２３０と係合して、把持突出部２２５をその閉鎖位置からその開放位置へと移動させる。好ましい実施形態では、ドリルガイド本体２１０〜２１２の各々が４つの把持突出部２２５を含む。更に、把持突出部２２５の各々は、把持突出部２２５を屈曲させそれらの閉鎖位置と開放位置との間で移動させるスロット２２６によって分離されている。この好ましい実施形態は４つの把持突出部２２５を開示しているが、把持突出部は１つのみ必要となり、任意の個数の把持突出部２２５が用いられ得ることが当業者には明らかとなろう。
【００２７】
図３〜８は、ドリルガイド本体２１０の受容通路２５５内へのドリルガイドインサート１００の導入を示している。ドリルガイド本体２１１及び２１２の受容通路２５５の各々へのドリルガイドインサート１００の導入は同一であることに基づいて、ドリルガイド本体２１０の受容通路２５５内へのドリルガイドインサート１００の導入についてのみ本明細書では説明することにする。図３では、ドリルガイドインサート１００は、骨係合表面１０３が受容通路２５５の上に位するように、ドリルガイド本体２１０の上方に配置されている。図４に示すように、ドリルガイドインサート１００は受容通路２５５に進入し、ここでキー部材１２０はロッキング部材２２０と係合する。更に、図５に示すように、把持突出部変位表面１５１が把持突出部２２５の係合隆起部２３０を押圧し始めて、把持突出部２２５をそれらの閉鎖位置からそれらの開放位置へと移動させる。
【００２８】
図６は、ドリルガイド本体２１０内に完全に導入されたドリルガイドインサート１００を示している。ドリルガイドインサート１００が引き続きドリルガイド本体２００内に導入されるとき、把持突出部２２５の係合隆起部２３０は、把持突出部変位表面１５１を越えて移動し、ドリルガイドインサート１００の係合溝１５０の中へと滑り込む。係合隆起部２３０が係合溝１５０の中に滑り込むと、把持突出部２２５はそれらの開放位置からそれらの閉鎖位置へと移動し、それによって、ドリルガイドインサート１００がドリルガイド本体２１０に押し通されること又はドリルガイド本体２１０から押し出されることが防止される。加えて、ドリルガイドインサート１００がドリルガイド本体２１０内に完全に導入されると、キー部材１２０の平坦な表面がロッキング部材２２０の平坦な表面と完全に係合し、それによって、ドリルガイド本体２１０内におけるドリルガイドインサート１００の回転が防止される。
【００２９】
図７は、完全に組み立てられ、使用準備を完了したドリルガイド３００を示している。ドリルガイド３００の動作は以下の通りである。ドリルガイド３００は、ドリルガイドインサート１００の骨係合表面１０３が患者の骨に係合するように、骨上の適切な位置に配置される。次いで、ピンがドリルガイド本体２１０〜２１２の受容通路２５５内に配置され、そのため、ドリルガイド３００が確実に骨上におけるその位置を維持するようになる。次いで外科医が、ドリルガイド本体２１０〜２１２のうちの１つを選択してドリルビットを挿入する。説明を目的として、外科医はドリルガイド本体２１０を選択している。外科医はピンを取り外し、ドリルガイド本体２１０の受容通路２５５を通してドリルビットを配置し、患者の骨への穿孔を開始する。患者の骨への穿孔後、更なる穴が手術において必要とされる場合、外科医は、ドリルビットを挿入するためにドリルガイド本体２１１又は２１２を選択する。外科医が穿孔を完了すると、ドリルガイド３００は取り除かれ、患者の骨はインプラント５０を受容する準備を終える。穿孔された穴はインプラント５０の脚部５２〜５４の間の同じ距離だけ間隔をあけて離間配置されており、そのため、穴は、それらの開放挿入位置に維持された脚部５２〜５４をその中に受容する。外科医は脚部５２〜５４を挿入し、インプラント５０を軽く叩き、それによってインプラント５０を患者の骨に固定する。患者の骨に固定されると、インプラント５０の脚部５２〜５４はそれらの閉鎖植込位置に復帰し、それによって骨を互いに融合し、治癒過程を支援する。
【００３０】
本発明の特徴は、ドリルガイド本体組立体２００のプラットフォーム２０１がドリルガイド本体２１０〜２１２の位置を維持し、そのため、ドリルガイド本体２１０〜２１２の間の距離がそれらの開放挿入位置におけるインプラント５０の脚部５２〜５４の間の距離に対応するようになることである。それにもかかわらず、開示するドリルガイド本体組立体２００はドリルガイド本体２１０〜２１２を含んでいるが、ドリルガイド本体の個数及び離間距離がインプラントの脚部の個数に対応することが当業者には明らかとなろう。説明として、二脚型のインプラントと共に使用するためのドリルガイド本体組立体２００であれば、それらの開放挿入位置におけるインプラントの２本の脚部の間の距離に等しい距離だけ間隔をあけて離間配置された２つのドリルガイド本体を含むことになる。同様に、四脚型のインプラントと共に使用するためのドリルガイド本体組立体２００であれば、それらの開放挿入位置におけるインプラントの４本の脚部の間の距離に等しい距離だけ間隔をあけて離間配置された４つのドリルガイド本体を含むことになる。更に、当業者には明らかとなることであるが、単一の挿入点を有するインプラントは単一のドリルガイド本体のみを有するドリルガイド本体組立体２００を必要とすることになる。
【００３１】
本発明は、上述した好ましい実施形態によって説明されてきたが、これらの説明は例示の目的に限られ、当業者には明らかなように、多数の変化する水準の変更形態、等価形態、変形形態が本発明の範囲に含まれることになる。その範囲は、したがって、いかなる場合にも上述した詳細な説明によって限定されるものではなく、むしろ、それは以下の特許請求の範囲によってのみ定義される。
【００３２】
〔実施の態様〕
（１）  ドリルガイドであって、
受容通路を画定する第１のドリルガイド本体を含むドリルガイド組立体であって、前記第１のドリルガイド本体は、ロッキング部材を含み、開放位置と閉鎖位置との間で屈曲するように適合された第１の把持突出部において終端する、ドリルガイド組立体と、
前記ドリルガイド組立体に固定可能なシャフトと、
ボアを画定し、前記第１のドリルガイド本体の前記受容通路への挿入に対して適合された第１のドリルガイドインサートであって、
前記第１のドリルガイド本体の前記受容通路に前記第１のドリルガイドインサートが最初に挿入される間に、前記第１の把持突出部と係合し、前記第１の把持突出部をその閉鎖位置からその開放位置へと移動させるように適合された把持突出部変位表面と、
前記第１のドリルガイド本体の前記第１の把持突出部を中に受容するように適合されたロッキング溝であって、前記第１のドリルガイド本体の前記受容通路に前記第１のドリルガイドインサートが引き続き挿入されると、前記第１の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第１のドリルガイドインサートが前記第１のドリルガイド本体の前記受容通路に押し通されること又は前記受容通路から引き抜かれることを防止する、ロッキング溝と、
前記第１のドリルガイド本体の前記受容通路に前記第１のドリルガイドインサートが挿入されると、前記第１のドリルガイド本体の前記ロッキング部材と係合するように適合されたキー部材であって、前記キー部材と前記ロッキング部材とが係合して、前記第１のドリルガイド本体の前記受容通路内における前記第１のドリルガイドインサートの回転を防止する、キー部材と、を含む第１のドリルガイドインサートと、を含む、ドリルガイド。
（２）  前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位するインプラントの第１の脚部と第２の脚部との間の距離に実質的に等しい距離だけ間隔をあけて、前記第１のドリルガイド本体を前記第２のドリルガイド本体から離間配置するプラットフォームと、を更に含む、実施態様１に記載のドリルガイド。
（３）  前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートを更に含む、実施態様２に記載のドリルガイド。
（４）  前記ドリルガイド組立体は、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結する前記プラットフォームであって、開放挿入位置に位するインプラントの第１、第２、及び第３の脚部の間の距離に実質的に等しい距離だけ間隔をあけて、前記第１、第２、及び第３のドリルガイド本体を互いから離間配置する前記プラットフォームと、を更に含む、実施態様３に記載のドリルガイド。
（５）  前記ドリルガイドは、
ボアを画定し、前記第３のドリルガイド本体の前記受容通路への挿入に対して適合された第３のドリルガイドインサートであって、
前記第３のドリルガイド本体の前記受容通路に前記第３のドリルガイドインサートが最初に挿入される間に、前記第１の把持突出部と係合し、前記第１の把持突出部をその閉鎖位置からその開放位置へと移動させるように適合された把持突出部変位表面と、
前記第３のドリルガイド本体の前記第１の把持突出部を中に受容するように適合されたロッキング溝であって、前記第３のドリルガイド本体の前記受容通路に前記第３のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ロッキング溝と、
前記第３のドリルガイド本体の前記受容通路に前記第３のドリルガイドインサートが挿入されると、前記第３のドリルガイド本体の前記ロッキング部材と係合するように適合されたキー部材であって、前記キー部材と前記ロッキング部材とが係合して、前記第３のドリルガイド本体の前記受容通路内における前記第３のドリルガイドインサートの回転を防止する、キー部材と、を含む第３のドリルガイドインサートを更に含む、実施態様４に記載のドリルガイド。
【００３３】
（６）  前記第１のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、実施態様１に記載のドリルガイド。
（７）  前記第２のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、実施態様２に記載のドリルガイド。
（８）  前記第３のドリルガイド本体は、前記第１の把持突出部を間に備えた第１のスロットと第２のスロットとを含み、更に、前記第１及び第２のスロットは、前記第１の把持突出部を前記開放位置と前記閉鎖位置との間で屈曲させる、実施態様４に記載のドリルガイド。
（９）  前記ドリルガイドは、本体を間に有する第１の脚部と第２の脚部とを含むインプラントと共に使用され、前記第１の脚部及び前記第２の脚部は、閉鎖植込位置と開放挿入位置との間で移動可能である、実施態様１に記載のドリルガイド。
（１０）  前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位する前記インプラントの前記第１の脚部と第２の脚部との間の距離に実質的に等しい距離だけ間隔をあけて、前記第１のドリルガイド本体を前記第２のドリルガイド本体から離間配置するプラットフォームと、を更に含む、実施態様９に記載のドリルガイド。
【００３４】
（１１）  前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートを更に含む、実施態様１０に記載のドリルガイド。
（１２）  前記ドリルガイドは、本体を間に有する第１の脚部と第２の脚部と第３の脚部とを含むインプラントと共に使用され、前記第１の脚部、前記第２の脚部、及び前記第３の脚部は、閉鎖植込位置と開放挿入位置との間で移動可能である、実施態様１に記載のドリルガイド。
（１３）  前記ドリルガイド組立体は、
受容通路を画定する第２のドリルガイド本体であって、ロッキング部材を含み、開放位置と閉鎖位置との間で屈曲するように適合された第１の把持突出部において終端する第２のドリルガイド本体と、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結するプラットフォームであって、開放挿入位置に位する前記インプラントの前記第１、第２、及び第３の脚部の間の距離に実質的に等しい距離だけ間隔をあけて、前記第１、第２、及び第３のドリルガイド本体を互いから離間配置するプラットフォームと、を更に含む、実施態様１２に記載のドリルガイド。
（１４）  前記ドリルガイドは、
ボアを画定し、前記第２のドリルガイド本体の前記受容通路への挿入に対して適合された第２のドリルガイドインサートであって、
前記第２のドリルガイド本体の前記受容通路に前記第２のドリルガイドインサートが最初に挿入される間に、前記第１の把持突出部と係合し、前記第１の把持突出部をその閉鎖位置からその開放位置へと移動させるように適合された把持突出部変位表面と、
前記第２のドリルガイド本体の前記第１の把持突出部を中に受容するように適合されたロッキング溝であって、前記第２のドリルガイド本体の前記受容通路に前記第２のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ロッキング溝と、
前記第２のドリルガイド本体の前記受容通路に前記第２のドリルガイドインサートが挿入されると、前記第２のドリルガイド本体の前記ロッキング部材と係合するように適合されたキー部材であって、前記キー部材と前記ロッキング部材とが係合して、前記第２のドリルガイド本体の前記受容通路内における前記第２のドリルガイドインサートの回転を防止する、キー部材と、を含む第２のドリルガイドインサートと、
ボアを画定し、前記第３のドリルガイド本体の前記受容通路への挿入に対して適合された第３のドリルガイドインサートであって、
前記第３のドリルガイド本体の前記受容通路に前記第３のドリルガイドインサートが最初に挿入される間に、前記第１の把持突出部と係合し、前記第１の把持突出部をその閉鎖位置からその開放位置へと移動させるように適合された把持突出部変位表面と、
前記第３のドリルガイド本体の前記第１の把持突出部を中に受容するように適合されたロッキング溝であって、前記第３のドリルガイド本体の前記受容通路に前記第３のドリルガイドインサートが引き続き挿入されると、前記第２の把持突出部がその開放位置からその閉鎖位置へと移動するように、前記把持突出部変位表面が前記第１の把持突出部から係合解除され、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ロッキング溝と、
前記第３のドリルガイド本体の前記受容通路に前記第３のドリルガイドインサートが挿入されると、前記第３のドリルガイド本体の前記ロッキング部材と係合するように適合されたキー部材であって、前記キー部材と前記ロッキング部材とが係合して、前記第３のドリルガイド本体の前記受容通路内における前記第３のドリルガイドインサートの回転を防止する、キー部材と、を含む第３のドリルガイドインサートと、を更に含む、実施態様１３に記載のドリルガイド。
（１５）  ドリルガイドを製造する方法であって、
プラスチック材料からドリルガイド本体組立体とシャフトとを一体的に形成することであって、前記ドリルガイド本体組立体は、
受容通路を含む第１のドリルガイド本体であって、前記受容通路はロッキング部材を含み、開放位置と閉鎖位置との間で屈曲するように適合された第１の把持突出部において終端する、第１のドリルガイド本体を含む、ことと、
金属材料から第１のドリルガイドインサートを形成することであって、前記第１のドリルガイドインサートはボアを画定し、前記第１のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第１のドリルガイド本体の前記受容通路内に前記第１のドリルガイドインサートを挿入することと、
前記キー部材が前記ロッキング部材と係合し、それによって前記受容通路内における前記第１のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第１のドリルガイドインサートの挿入を継続することであって、更に、前記第１の把持突出部は前記ロッキング溝と係合し、それによって、前記第１のドリルガイドインサートが前記第１のドリルガイド本体の前記受容通路に押し通されること又は前記受容通路から引き抜かれることを防止する、ことと、を含むドリルガイドを製造する方法。
【００３５】
（１６）  プラスチック材料から前記ドリルガイド本体組立体と前記シャフトとを一体的に形成することであって、前記ドリルガイド本体組立体は、
受容通路を画定する第２のドリルガイド本体であって、前記第２のドリルガイド本体は、ロッキング部材を含み、開放位置と閉鎖位置との間で屈曲するように適合された第１の把持突出部において終端する第２のドリルガイド本体と、
前記第１のドリルガイド本体を前記第２のドリルガイド本体と連結するプラットフォームであって、開放挿入位置に位するインプラントの第１の脚部と第２の脚部との間の距離に実質的に等しい距離だけ間隔をあけて、前記第１のドリルガイド本体を前記第２のドリルガイド本体から離間配置するプラットフォームと、を更に含む、ことを更に含む、実施態様１５に記載のドリルガイドを製造する方法。
（１７）  金属材料から第２のドリルガイドインサートを形成することであって、前記第２のドリルガイドインサートはボアを画定し、前記第２のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第２のドリルガイド本体の前記受容通路内に前記第２のドリルガイドインサートを挿入することと、
前記キー部材が前記ロッキング部材と係合し、それによって前記受容通路内における前記第２のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第２のドリルガイドインサートの挿入を継続することであって、更に、前記第１の把持突出部は前記ロッキング溝と係合し、それによって、前記第２のドリルガイドインサートが前記第２のドリルガイド本体の前記受容通路に押し通されること又は前記受容通路から引き抜かれることを防止する、ことと、を更に含む、実施態様１６に記載のドリルガイドを製造する方法。
（１８）  プラスチック材料から前記ドリルガイド本体組立体と前記シャフトとを一体的に形成することであって、前記ドリルガイド本体組立体は、
受容通路を画定する第３のドリルガイド本体であって、ロッキング部材を含み、開放位置と閉鎖位置との間で屈曲するように適合された第１の把持突出部において終端する第３のドリルガイド本体と、
前記第１、第２及び第３のドリルガイド本体を連結する前記プラットフォームであって、開放挿入位置に位するインプラントの第１、第２、及び第３の脚部の間の距離に実質的に等しい距離だけ間隔をあけて、前記第１、第２、及び第３のドリルガイド本体を互いから離間配置する前記プラットフォームと、を更に含む、ことを更に含む、実施態様１７に記載のドリルガイドを製造する方法。
（１９）  金属材料から第３のドリルガイドインサートを形成することであって、前記第３のドリルガイドインサートはボアを画定し、前記第３のドリルガイド本体の前記受容通路への挿入に対して適合され、
把持突出部変位表面と、
ロッキング溝と、
キー部材と、を含む、ことと、
前記把持突出部変位表面が前記第１の把持突出部と係合し、前記第１の把持突出部をその閉鎖位置からその開放位置へと移動させるまで、前記第３のドリルガイド本体の前記受容通路内に前記第３のドリルガイドインサートを挿入することと、
前記キー部材が前記ロッキング部材と係合し、それによって前記受容通路内における前記第３のドリルガイドインサートの回転を防止するまで、また、前記第１の把持突出部がその開放位置からその閉鎖位置へと移動するように、前記把持突出部変位表面が前記第１の把持突出部から係合解除されるまで、前記受容通路内への前記第３のドリルガイドインサートの挿入を継続することであって、更に、前記第１の把持突出部は前記ロッキング溝と係合し、それによって、前記第３のドリルガイドインサートが前記第３のドリルガイド本体の前記受容通路に押し通されること又は前記受容通路から引き抜かれることを防止する、ことと、を更に含む、実施態様１８に記載のドリルガイドを製造する方法。
（２０）  前記ドリルガイドは、本体を間に有する第１の脚部と第２の脚部とを含むインプラントと共に使用され、前記第１の脚部及び前記第２の脚部は、閉鎖植込位置と開放挿入位置との間で移動可能である、実施態様１７に記載のドリルガイドを製造する方法。
【図１】
2018522685.tif 000003
【図２】
2018522685.tif 000004
【図３】
2018522685.tif 000005
【図４】
2018522685.tif 000006
【図５】
2018522685.tif 000007
【図６】
2018522685.tif 000008
【図７】
2018522685.tif 000009
【図８】
2018522685.tif 000010
【図９】
2018522685.tif 000011
【図１０】
2018522685.tif 000012
【国際調査報告】
2018522685.tif 000013
2018522685.tif 000014
2018522685.tif 000015
2018522685.tif 000016
2018522685.tif 000017